(57)【要約】 【課題】球の入賞に意外性を持たせることができ、且つ部品点数の削減を図ることができる遊技機の球入賞装置を提供する。【解決手段】球を仮入賞通路６１と非入賞通路６２とに振り分けて送出する第１ロータ２と、仮入賞通路６１から受け入れた球を本入賞通路６３と非入賞通路６４とに振り分けて送出する第２ロータ３とを、同一形状として垂直基板１の上下に間隔をおいて枢設したうえに、第１ロータ２と第２ロータ３とを、ドライブギア７１、７２、アイドラーギア７６、７７、モータギア７５を介して一つのモータＭと接続する。さらに、第１ロータ２、第２ロータ３の上方に、第１クルーン４、第２クルーン５を配設して、球の入賞態様に変化を付ける。【選択図】図２
2007275230.tif 000002
【特許請求の範囲】
【請求項１】
球を仮入賞通路と非入賞通路とに振り分けて送出する第１ロータと、前記仮入賞通路から受け入れた球を本入賞通路と非入賞通路とに振り分けて送出する第２ロータとを、同一形状として垂直基板の上下に間隔をおいて枢設したうえに、
第１ロータと第２ロータとを、動力伝達部材を介して一つの駆動源と接続したことを特徴とする遊技機の球入賞装置。
【請求項２】
駆動源をモータとし、動力伝達部材を、モータギアと、第１ロータを駆動する第１ドライブギアと、第２ロータを駆動する第２ドライブギアとを備えるものとしたうえに、第１ドライブギアと第２ドライブギアとの歯数を変えてモータギアと接続したことを特徴とする請求項１に記載の遊技機の球入賞装置。
【請求項３】
第１ロータの上方、第１ロータと第２ロータとの間、の何れか一方又は双方に、球を旋回させたのちに下方に落下させるクルーンを配設したことを特徴とする請求項１又は２に記載の遊技機の球入賞装置。
【請求項４】
第１ロータ及び第２ロータの外周に複数の凹部を設けて、これらの凹部の一側に球出口を設けたうえに、一部の球出口を着脱可能なガイド部材で封鎖したことを特徴とする請求項１〜３の何れかに記載の遊技機の球入賞装置。
【請求項５】
第１ロータ及び第２ロータの球出口を封鎖するガイド部材を、同一形状又は異形状としたことを特徴とする請求項４に記載の遊技機の球入賞装置。
【請求項６】
第１ロータ及び第２ロータの外周に複数の凹部を設けて、これらの凹部の一側に球出口を設けたうえに、一部の球出口をロータと一体に形成したガイド部材で封鎖したことを特徴とする請求項１〜３の何れかに記載の遊技機の球入賞装置。
【請求項７】
第１ロータと第１ドライブギア、及び第２ロータと第２ドライブギアとを、それぞれスリップクラッチを介して接続して、第１ロータ又は第２ロータに過負荷が掛かったときに、モータの回転を第１ロータ又は第２ロータへ非伝達としたことを特徴とする請求項１〜６の何れかに記載の遊技機の球入賞装置。
【発明の詳細な説明】
【技術分野】
【０００１】
本発明は、パチンコ機等の遊技機に用いられる球入賞装置に関するものである。
【背景技術】
【０００２】
パチンコ機の遊技盤には、通常は球を入賞口に導入して大当たりなどの特別遊技状態を発生させる球入賞装置が配設されている。このような球入賞装置として、特許文献１には、球を回転体により特定入賞口と普通入賞口とに振り分ける方式のものが記載されている。また、特許文献２には、観音開きする開閉体が開放されている間に球を振分け機構に取り込み、この振分け機構が球を特定入賞口と普通入賞口とに振り分ける方式のものが記載されている。しかしながら、上記したような方式のものは、意外性に乏しく遊技者の興味を引き付ける点において十分満足できるものではなかった。
【０００３】
さらに特許文献３には、回転体を用いて振り分ける方式のものが記載されている。このような振り分け方式は、回転体が一定の短い周期で回転することにより球の振り分けを行っているので、特定の入賞口へ入球する動作タイミングに合わせて遊技球を発射する、所謂狙い打ちが一部の遊技者によって行われる可能性があった。狙い打ちが行われると、設定されている以上の確率で賞球の払い出しが行われ、ホール側に不測の損害を与えることとなっていた。
【０００４】
そこで、出願人は特願２００５−３２８４６５号として、球の入賞に意外性を持たせることができる遊技機の球入賞装置を出願した。しかしながら、当該出願に係るものは、球の入賞にロータと揺動部材との２種の部材を使用しているため部品の種類が多くなって、コストが高くなるという問題があった。また、球を旋回させた後に下方に落下させるクルーンを設けて、狙い打ちへの対策としていたが、熟練者に対してはあまり効果的ではなかった。
【特許文献１】特開２００３−２７５４１１号公報  (図１)
【特許文献２】特開２００３−１５９４０６号公報  (図１)
【特許文献３】特開２００１−２０４９１５号公報  (図２、３)
【発明の開示】
【発明が解決しようとする課題】
【０００５】
本発明は、上記した従来の問題点に鑑み、球の入賞に意外性を持たせ狙い打ちを防止することができ、且つ部品点数の削減を図ることができる遊技機の球入賞装置を提供することを課題とする。
【課題を解決するための手段】
【０００６】
上記の課題を解決するためになされた本発明の遊技機の球入賞装置は、球を仮入賞通路と非入賞通路とに振り分けて送出する第１ロータと、前記仮入賞通路から受け入れた球を本入賞通路と非入賞通路とに振り分けて送出する第２ロータとを、同一形状として垂直基板の上下に間隔をおいて枢設したうえに、
第１ロータと第２ロータとを、動力伝達部材を介して一つの駆動源と接続したことを特徴とするものである。
【０００７】
上記した発明において、駆動源をモータとし、動力伝達部材を、モータギアと、第１ロータを駆動する第１ドライブギアと、第２ロータを駆動する第２ドライブギアとを備えるものとしたうえに、第１ドライブギアと第２ドライブギアとの歯数を変えてモータギアと接続することができる。
また、第１ロータの上方、第１ロータと第２ロータとの間、の何れか一方又は双方に、球を旋回させたのちに下方に落下させるクルーンを配設することができる。
【０００８】
また、第１ロータ及び第２ロータの外周に複数の凹部を設けて、これらの凹部の一側に球出口を設けたうえに、一部の球出口を着脱可能なガイド部材で封鎖することができるし、このガイド部材を、同一形状又は異形状とすることができる。また、一部の球出口をロータと一体に形成したガイド部材で封鎖することができる。
さらに、第１ロータと第１ドライブギア、及び第２ロータと第２ドライブギアとを、それぞれスリップクラッチを介して接続して、第１ロータ又は第２ロータに過負荷が掛かったときに、モータの回転を第１ロータ又は第２ロータへ非伝達とすることができる。
【発明の効果】
【０００９】
請求項１に係る発明は、同一形状とした二つのロータを垂直基板に上限に間隔をおいて枢設したうえに、これらのロータを一つの駆動源で駆動するようにしたので、部品点数の削減と球の入賞態様への意外性の付与とを行うことができる。
請求項２に係る発明は、第１ドライブギアと第２ドライブギアとを歯数の異なるものとしたので、第１ロータと第２ロータの回転速度をずらすことができて、入賞確率を高めるための狙い打ちを困難にすることができる。
請求項３に係る発明は、クルーンにより球を旋回させて、球の落下のタイミングを不均一化することができる。
請求項４に係る発明は、凹部の横側の球出口を着脱可能なガイド部材で封鎖するので、ガイド部材を交換することによって、封鎖された球出口の数を調整して入賞確率を容易に変動させることができる。
請求項５に係る発明は、ガイド部材を同一形状としてコストを削減でき、ガイド部材を異形状として遊技に変化を付けることができる。
請求項６に係る発明は、ガイド部材をロータと一体に形成して、コストの削減を図ることができる。
請求項７に係る発明は、第１ロータ又は第２ロータに球噛み等による過負荷が掛かったときに、スリップクラッチが第１ロータ又は第２ロータへのモータの回転を非伝達とすることができる。
【発明を実施するための最良の形態】
【００１０】
以下に、本発明の実施形態を図面に基づき説明する。
図１〜４は、本発明の遊技機の球入賞装置を示す図である。図において、１は球入賞装置本体の垂直基板であり、この垂直基板１に、同一形状の第１ロータ２と第２ロータ３とが上下に間隔をおいて枢設されている。第１ロータ２の上方には第１クルーン４が配設され、第１ロータ２と第２ロータ３との間には、第２クルーン５が配設されている。
【００１１】
第１クルーン４、第２クルーン５は、皿状部４１、５１に受け入れた球を適宜の回数旋回させたのちに、中央の筒状部４２、５２からそれぞれ下方の第１ロータ２、第２ロータ３（以下、ロータ２、３と略す）に向けて落下させる。
【００１２】
ロータ２、３は、放射方向向きに４つの球受け用の凹部２１、３１を有する。凹部２１、３１の一端は、ロータ２、３の一側に設けられた円板２２、３２によって塞がれている（図４）。凹部２１、３１の底面は垂直基板１の方向に向けて低く傾斜し、その先は球出口２３、３３となっている。そして、球出口２３、３３の一部は、ガイド部材２４、３４によって封鎖されており、残りの球出口２３、３３は開放されたままの状態である。なお、円板２２、２３は、それぞれ図１から見て前方からロータ２、３に係止されており、ガイド部材２４、３４は、それぞれ後方からロータ２、３に係止されている。そして、円板２２、２３及びガイド部材２４、３４が係止されたロータ２、３は、圧入された支軸２５、３５により垂直基板１に軸着されている。
【００１３】
なお、ガイド部材２４、３４をロータ２、３と一体に形成して、コストを削減することもできる。さらに、球出口２３、３３を封鎖するガイド部材２４、３４を、同一形状又は異形状とすることができる。同一形状とした場合にはコストを削減できるし、異形状とした場合には遊技の内容に変化を付けることができる。
【００１４】
垂直基板１には、第１ロータ２の球出口２３と連通する仮入賞通路６１と、球出口２３が封鎖された凹部２１から球が流入する非入賞通路６２が設けられている。仮入賞通路６１は、第２クルーン５に球を投入する。
【００１５】
また、垂直基板１には、第２ロータ３の球出口３３と連通する本入賞通路６３と、球出口３３が封鎖された凹部３１から球が流入する非入賞通路６４が設けられている。非入賞通路６４は前記非入賞通路６２と合流する。本入賞通路６３に球が流入したときには、遊技者にとって遊離な遊技状態となり、非入賞通路に流入したときは、遊技者にとって不利な遊技状態となる。ここでの有利な遊技状態又は不利な遊技状態とは、入賞又は非入賞に限らない。例えば、入賞が安易な位置に導出される状態又は入賞が困難な位置に導出される状態（より詳しくは、画像表示装置の下部に設けたステージが複数のステージによって構成されている場合に於いて、始動入賞口への入賞が容易なステージに導かれる状態又は始動入賞口への入賞が困難なステージに導出される状態）や、大当たり状態又はそうでない状態等であってもよい。
【００１６】
ロータ２、３の支軸２５、３５には、第１ドライブギア７１、第２ドライブギア７２（以下、ドライブギア７１、７２と略す）が支軸２５、３５と独立して回転可能に差し込まれたうえに、さらにスリップクラッチ２６、３６が支軸２５、３５と一体に回転するようにして挿着されている。すなわち、支軸２５、３５には平坦面を有する蒲鉾状部２５ａ、３５ａが設けられ、スリップクラッチ２６、３６には蒲鉾状部２５ａ、３５ａに対応する形状の挿通孔２７、３７が設けられて、蒲鉾状部２５ａ、３５ａに挿通孔２７、３７が差し込まれているので、スリップクラッチ２６、３６は、支軸２５、３５と一体に回転することができるうえに、軸方向の移動を可能としている。
【００１７】
スリップクラッチ２６、３６は、円筒状の側面の一端に浅いＶ字状の切り込み２８、３８を有し、ドライブギア７１、７２には、これに対向する山形突部７３、７４が形成されている（図２）。そして、スリップクラッチ２６、３６は、支軸２５、３５に装着されたバネ２９、３９によりドライブギア７１、７２の方向に付勢されているので、切り込み２８、３８と山形突部７３、７４とは係脱可能となっている。なお、バネ２９、３９のスリップクラッチ２６、３６と接する反対側の端部は、留め具９１、９２により軸２５、３５に対して係止されている。
【００１８】
そして、垂直基板１の裏側には、駆動限であるモータＭが取付台１１を介して配設されている。モータＭには、その回転軸に動力伝達部材の一部をなすモータギア７５が装着されている。ドライブギア７１、７２は、それぞれアイドラーギア７６、７７を介してモータギア７５と接続されている。従って、モータＭによりモータギア７５が回転されると、アイドラーギア７６、７７を介してドライブギア７１、７２が回転される。バネ２９、３９によりスリップクラッチ２６、３６がドライブギア７１、７２の方向に付勢されているので、スリップクラッチ２６、３６に設けた切り込み２８、３８と、ドライブギア７１、７２に設けた山形突部７３、７４とが係止され、ドライブギア７１、７２の回転は、スリップクラッチ２６、３６に伝達される。これによってロータ２、３を回転させることができる。
【００１９】
ここで、第１ドライブギア７１の歯数をＮ（例えば３９）とし、第２ドライブギア７２の歯数をＮ−α（例えば３８）として、モータギア７５に対するギア比を異なるものとしてあるので、第１ロータ２と第２ロータ３の回転速度をずらすことができて、遊技における狙い打ちを困難にすることができる。なお、ここでのαが大きすぎると、二つのロータ２、３間での周期が小さくなり、狙い打ちの機会が増す危険性がある。よって、できるだけ少ないことが望ましいが、実施例の如くα＝１に限定される必要はない。
【００２０】
クルーン４、５と、ロータ２、３との間に球が噛み込まれて過負荷状態となったようなばあいには、山形突部７３、７４が切り込み２８、３８から脱出し、ドライブギア７１、７２は空回りされるので、スリップクラッチ２６、３６によりモータＭの回転をロータ２、３に非伝達とすることができる。よって、モータＭが過熱したり、ロータ２、３が破損したりするのを防止することができる。
【００２１】
図示した実施例においては、第１及び第２の各ロータ２、３に設けられた凹部２１、３１は４カ所であり、そのうち２カ所をガイド部材２４、３４で封鎖しているので、第１ロータ２において仮入賞通路６１に導出される確率が１／２、第２ロータ３において本入賞通路６３に導出される確率が１／２となる。よって、当該装置に流入した球が最終的に本入賞通路６３に導かれる確率は、１／２×１／２＝１／４となる。しかし、本発明は実施形態に縛られるものではなく、各ロータ２、３に設けた凹部２１、３１が３カ所又は５カ所等であってもよいし、ガイド部材２４、３４が１カ所又は３カ所の凹部２１、３１を封鎖していてもよい。また、ロータ２、３とガイド部材２４、３４を別部材で構成した場合には、第１ロータ２と第２ロータ３とで、ガイド部材２４、３４の封鎖箇所の数や場所が異なっていてもよい。これにより、最終的に確率が１／４以外の振り分けも可能となる。
【００２２】
また、実施例においては、封鎖された凹部２１、３１に入った球が非入賞通路６２、６４へと導かれ、封鎖されていない凹部２１、３１に入った球が仮入賞通路６１、本入賞通路６３へと導かれる構造となっている。しかし、仮入賞通路６１、本入賞通路６３と、非入賞通路６２、６４との連通先を入れ替えることにより、逆に、封鎖された凹部２１、３１に入った球が遊技者にとって有利な状態へと導かれ、封鎖されていない凹部２１、３１に入った球が遊技者にとって不利な状態へと導かれる構造となっていてもよい。
【００２３】
以上のように構成されたものにおいて、第１クルーン４に流入した球は適宜の回数旋回されたのちに、第１ロータ２の凹部２１に落下する。球出口２３がガイド部材２４によって封鎖された凹部２１に流入した球は、その凹部２１が横向きに回転されたときに、凹部２１から脱出して遊技者にとって不利な球となって非入賞通路６２に送出される。球出口２３が開放されたままの凹部２１に流入した球は、球出口２３から抜け出し仮入賞通路６１を経て第２クルーン５に流入する。
【００２４】
第２クルーン５に流入した球は適宜の回数旋回されたのちに、第２ロータ３の凹部３１に落下する。球出口３３がガイド部材３４によって封鎖された凹部３１に流入した球は、その凹部３１が横向きに回転されたときに、凹部３１から脱出して遊技者にとって不利な状態の球となって非入賞通路６４に送出される。球出口２３が開放されたままの凹部２１に流入した球は、球出口２３から抜け出し本入賞通路６３に流入して、遊技者にとって有利な状態となる。第１ロータ２と第２ロータ３の回転速度はやや変えてあるので、二つのロータ間の周期は非常に大きくなる（実施例では、第１ロータが１９．５回転、第２ロータが１９回転で１周期）。よって、遊技者にとって有利な状態を発生しやすくするための狙い打ちを行うことははなはだ困難である。
【００２５】
以上に説明したように、本発明に係る球入賞装置は、同一形状とした二つのロータを垂直基板に上下に間隔をおいて枢設したうえに、これらのロータを一つの駆動源で駆動するようにしたので、部品点数の削減を図ることができる。さらに、各ロータの上方にクルーンを配設することによって、球の入賞に意外性を持たせることができるという大きな利点を有する。
【図面の簡単な説明】
【００２６】
【図１】本発明に係る球入賞装置の正面図である。
【図２】球入賞装置の側面図である。
【図３】球入賞装置の背面図である。
【図４】球入賞装置の分解斜視図である。
【符号の説明】
【００２７】
１  垂直基板、２  第１ロータ、３  第２ロータ、４  第１クルーン、５  第２クルーン、６１  仮入賞通路、６２  非入賞通路、６３  本入賞通路、６４  非入賞通路、７１、７２  ドライブギア、７５  モータギア、７６、７７  アイドラーギア、
【図１】
2007275230.tif 000003
【図２】
2007275230.tif 000004
【図３】
2007275230.tif 000005
【図４】
2007275230.tif 000006